(57)【要約】【課題】壁パネルと壁パネルとの間に挿入される目地パッキンの下端と床パネルとの間から室外への水漏れを確実に防止可能なユニット式ルームを提供する。【解決手段】浴槽一体床パネル１２の上に配置される壁パネル１８と壁パネル２０との間の隙間に目地パッキン３２が挿入されている。床１２Ｂの上面には、止水部材３６のベース部３８が密着して配置されており、ベース部３８の室内側の端部には、シール弾性体５４の取り付けられた止水部５０が設けられている。目地パッキン３２の下端と止水部材３６のベース部３８との間に隙間Ｓ２が開く場合が考えられるが、シール弾性体５４が隙間Ｓ２を室内側から塞ぐので、目地パッキン３２の下側の隙間を介して室外側へ水が漏れでることが防止される。【選択図】図６
2012211433.tif 000002
【特許請求の範囲】
【請求項１】
床部材と、
前記床部材の上に配置される第１の壁パネルと、
前記床部材の上に配置される第２の壁パネルと、
前記第１の壁パネルと前記第２の壁パネルの端部間に装着される目地パッキンと、
前記目地パッキンの下方に位置し前記床部材に密着するベース部と、前記ベース部に連結され前記目地パッキンの下部を室内側から覆って止水を行う止水部とを備える止水部材と、
を有するユニット式ルーム。
【請求項２】
前記止水部が、前記目地パッキン、前記第１の壁パネル、及び前記第２の壁パネルの室内側の面と、前記ベース部の上面とに面接触する、請求項１に記載のユニット式ルーム。
【請求項３】
前記止水部は、前記目地パッキン、前記第１の壁パネル、前記第２の壁パネル、及び前記ベース部に圧接される弾性体を備えていると共に、前記目地パッキンと係合する係合部を備えている、請求項２に記載のユニット式ルーム。
【請求項４】
前記止水部は、前記目地パッキン、前記第１の壁パネル、前記第２の壁パネル、前記ベース部と両面テープで固定されている、請求項２に記載のユニット式ルーム。
【請求項５】
前記第１の壁パネルと前記第２の壁パネルとを前記目地パッキンが装着される隙間が形成されるように連結する中空の支柱と、
前記ベース部に設けられ前記支柱の内面に接触して前記止水部の位置決めを行う位置決め部と、
を有する請求項１〜請求項４の何れか１項に記載のユニット式ルーム。
【請求項６】
前記止水部材に設けられ、前記止水部材と前記第１の壁パネルの端部とに密着して止水を行う第１のインナーパッキンと、
前記止水部材に設けられ、前記止水部材と前記第２の壁パネルの端部と密着して止水を行う第２のインナーパッキンと、
を有する請求項１〜請求項５の何れか１項に記載のユニット式ルーム。
【請求項７】
床部材の上に設置される第１の壁パネルと第２の壁パネルの端部間に装着される目地パッキンの下方に位置し前記床部材に密着させるベース部と、
前記ベース部に連結され前記目地パッキンの下部を室内側から覆って止水を行う止水部と、
を有する止水部材。
【請求項８】
前記止水部は、前記目地パッキン、前記第１の壁パネル、及び前記第２の壁パネルの室内側の面と、前記ベース部の上面とに面接触する、請求項７に記載の止水部材。
【請求項９】
前記止水部は、前記目地パッキン、前記第１の壁パネル、前記第２の壁パネル、及び前記ベース部に圧接する弾性体を備えていると共に、前記目地パッキンと係合する係合部を備えている、請求項８に記載の止水部材。
【請求項１０】
前記止水部には、前記目地パッキン、前記第１の壁パネル、前記第２の壁パネル、前記ベース部と接する部位に両面テープが貼り付けられている、請求項８に記載の止水部材。
【請求項１１】
前記ベース部には、前記第１の壁パネルと前記第２の壁パネルとを前記目地パッキンが装着される隙間が形成されるように連結する中空の支柱の内面に接触することで前記止水部の位置決めを行う位置決め部が、設けられている、請求項７〜請求項１０の何れか１項に記載の止水部材。
【請求項１２】
前記第１の壁パネルの端部と密着して止水を行う第１のインナーパッキンと、
前記第２の壁パネルの端部と密着して止水を行う第２のインナーパッキンと、
を有する請求項７〜請求項１１の何れか１項に記載の止水部材。
【発明の詳細な説明】
【技術分野】
【０００１】
本発明は、ユニット式ルーム、及び止水部材にかかり、特に、ユニットバス等のユニット式ルームの壁パネルと壁パネルとの連結部に挿入したパッキンの下端と床パネルとの間の隙間から室外への水漏れを防止可能なユニット式ルーム、及該隙間を塞いで室外への水漏れを防止する止水部材に関する。
【背景技術】
【０００２】
複数枚のパネルを接合して組み立てられるユニット式ルームとしてユニットバスがあり、この種のユニットバスは、床パネル（防水パン）、壁パネル、天井パネル、ドア、床パネルに設置され天井パネルや壁パネルを支持する支柱等から構成されている。
【０００３】
壁パネルは床パネルの上に立てられており、壁パネルと壁パネルとの間には軟質の合成樹脂等で成形されたパッキン（目地部材）が室内側から装着されており（例えば、特許文献１、２参照。）、さらに、床パネルと壁パネルとの室内側の隅部分にはシリコン等のコーキング材が施されている。
【０００４】
ところで、壁パネルと壁パネルとの間に挿入されるパッキンは、床パネルと接する部分に止水性を有していないため、従来では、壁パネルと壁パネルとの間に挿入されるパッキンの下端と床パネルとの隅部にも、前述した床パネルと壁パネルとの隅部分と同様にコーキング材を施している。
【０００５】
なお、本明細書においては、構造体の目地、隙間部分に充填して防水性、気密性などの機能を発揮させる材料のうち、あらかじめ形が決まっているものをパッキンまたはシーリング材と呼び、チューブ容器に入っていて専用の押出し機であるコーキングガン等で施工する液状の樹脂製の物をコーキングまたはコーキング材と呼ぶ。
【先行技術文献】
【特許文献】
【０００６】
【特許文献１】特開２００８−１６３６３１号公報
【特許文献２】特開２００９−２１５７６７号公報
【発明の概要】
【発明が解決しようとする課題】
【０００７】
しかしながら、コーキング材の施工は人手で行うため、作業員の技能により品質にばらつきが生じやすく、コーキング材の使用量が不十分であると確実な止水効果が得られなくなる。
【０００８】
本発明は、上記問題を解決すべく成されたもので、壁パネルと壁パネルとの間に装着されるパッキンの下端と床パネルとの間からの室外への水漏れを確実に防止可能なユニット式ルーム、及び該隙間を塞いで水漏れを防止可能な止水部材を提供することが目的である。
【課題を解決するための手段】
【０００９】
本発明は上記事実に鑑みてなされたものであって、請求項１に記載のユニット式ルームは、床部材と、前記床部材の上に配置される第１の壁パネルと、前記床部材の上に配置される第２の壁パネルと、前記第１の壁パネルと前記第２の壁パネルの端部間に装着される目地パッキンと、前記目地パッキンの下方に位置し前記床部材に密着するベース部と、前記ベース部に連結され前記目地パッキンの下部を室内側から覆って止水を行う止水部と、を有する。
【００１０】
次に、請求項１に記載のユニット式ルームの作用を説明する。
床部材の上に配置される第１の壁パネルと第２の壁パネルとの間の隙間に目地パッキンが装着されており、これによって、第１の壁パネルと第２の壁パネルとの間の隙間は、目地パッキンの下端と床部材との間を除きシールされている。
床部材の上には、目地パッキンの下方に止水部材のベース部が密着して配置されており、止水部材と床部材との間からの室外への水漏れは防止されている。
【００１１】
止水部はベース部に連結されているため、止水部とベース部との間の止水性は確保されている。
そして、ベース部に連結される止水部が目地パッキンの下部を室内側から覆っている、即ち、ベース部から延びた止水部が目地パッキンの下部を覆っている。したがって、仮に目地パッキンの下端とベース部との間に隙間が形成されたとしても、該隙間は止水部によって室内側から覆われるので、第１の壁パネルと第２の壁パネルの間に装着される目地パッキンの下側からの水漏れを防止することが出来る。
【００１２】
請求項２に記載の発明は、請求項１に記載のユニット式ルームにおいて、前記止水部が、前記目地パッキン、前記第１の壁パネル、及び前記第２の壁パネルの室内側の面と、前記ベース部の上面とに面接触する。
【００１３】
次に、請求項２に記載のユニット式ルームの作用を説明する。
請求項２に記載のユニット式ルームでは、止水部が目地パッキン、第１の壁パネル、及び第２の壁パネルの室内側の面と、ベース部の上面とに面接触しており、これによって目地パッキンの下側の隙間が塞がれる。
【００１４】
請求項３に記載の発明は、請求項２に記載のユニット式ルームにおいて、前記止水部は、前記目地パッキン、前記第１の壁パネル、前記第２の壁パネル、及び前記ベース部に圧接される弾性体を備えていると共に、前記目地パッキンと係合する係合部を備えている。
【００１５】
次に、請求項３に記載のユニット式ルームの作用を説明する。
請求項３に記載のユニット式ルームでは、止水部材に弾性体が設けられており、この弾性体が目地パッキン、第１の壁パネル、第２の壁パネル、及びベース部に弾性的に接触して高い密着性を得ることが出来る。
また、係合部を目地パッキンに係合することで、弾性体を目地パッキン、第１の壁パネル、第２の壁パネル、及びベース部に弾性的に接触させた状態を維持できる。
【００１６】
請求項４に記載の発明は、請求項２に記載のユニット式ルームにおいて、前記止水部は、前記目地パッキン、前記第１の壁パネル、前記第２の壁パネル、及び前記ベース部と両面テープで固定されている。
【００１７】
次に、請求項４に記載のユニット式ルームの作用を説明する。
請求項４に記載のユニット式ルームでは、止水部が両面テープで目地パッキン、第１の壁パネル、第２の壁パネル、ベース部に接合されるので、止水部と目地パッキンの間、止水部と第１の壁パネルの間、止水部と第２の壁パネルとの間、及び止水部とベース部との間において、水の進入する隙間を完全に無くすことが出来る。
【００１８】
請求項５に記載の発明は、請求項１〜請求項４の何れか１項に記載のユニット式ルームにおいて、前記第１の壁パネルと前記第２の壁パネルとを前記目地パッキンが装着される隙間が形成されるように連結する中空の支柱と、前記ベース部に設けられ前記支柱の内面に接触して前記止水部の位置決めを行う位置決め部と、を有する。
【００１９】
次に、請求項５に記載のユニット式ルームの作用を説明する。
請求項５に記載のユニット式ルームでは、ベース部に設けられた位置決め部が中空の支柱の内面に接触しているので、ベース部は支柱に対して位置決めされている。止水部は、ベース部に連結されているので、止水部は、ベース部の位置決め部が接触している支柱に対しても位置決めされることとなる。
【００２０】
支柱は、第１の壁パネルと第２の壁パネルとを連結しているので、第１の壁パネル及び第２の壁パネルは支柱に対して位置決めされている。
そして、第１の壁パネルと第２の壁パネルの隙間に目地パッキンが装着されているので、目地パッキンは両パネルに対して位置決めされている。
したがって、ベース部に連結された止水部は、目地パッキン、及び両壁パネルに対して相対的な位置が正確に決められることとなる。
【００２１】
これにより、止水部材で目地パッキンの下側の隙間を確実に塞ぐことが可能となる。なお、止水部材の目地パッキンに対する相対的な位置、及び止水部材の両壁パネルに対する相対的な位置が正確に決まらないと、例えば、止水部材と目地パッキンとの間や止水部材と両パネルとの間に隙間を生じる虞がある。
【００２２】
請求項６に記載の発明は、請求項１〜請求項５の何れか１項に記載のユニット式ルームにおいて、前記止水部材に設けられ、前記第１の壁パネルの端部と密着して止水を行う第１のインナーパッキンと、前記止水部材に設けられ、前記第２の壁パネルの幅方向の端部と密着して止水を行う第２のインナーパッキンと、を有する。
【００２３】
次に、請求項６に記載のユニット式ルームの作用を説明する。
止水部材の第１のインナーパッキンが第１の壁パネルの端部と密着しているので、仮に、目地パッキンの下側の隙間から室内側へ水が漏れたとしても、止水部材と第１の壁パネルの端部との間から室外へ水が漏れることは無い。
【００２４】
また、止水部材の第２のインナーパッキンが第２の壁パネルの端部と密着しているので、仮に、目地パッキンの下側の隙間から室内側へ水が漏れたとしても、止水部材と第２の壁パネルの端部との間から室外へ水が漏れることは無い。
【００２５】
請求項７に記載の止水部材は、床部材の上に設置される第１の壁パネルと第２の壁パネルの端部間に装着される目地パッキンの下方に位置し前記床部材に密着させるベース部と、前記ベース部に連結され前記目地パッキンの下部を室内側から覆って止水を行う止水部と、を有する。
【００２６】
次に、請求項７に記載の止水部材の作用を説明する。
床部材の上に配置される第１の壁パネルと第２の壁パネルとの間の隙間には目地パッキンが装着されているので、第１の壁パネルと第２の壁パネルとの間の隙間は、目地パッキンの下端と床部材との間を除きシールされている。
請求項７に記載の止水部材は、ベース部を目地パッキンの下方の床部材の上に密着させて配置する。これにより、止水部材と床部材との間からの室外への水漏れは防止される。
【００２７】
止水部はベース部に連結されているため、止水部とベース部との間の止水性は確保されている。
そして、止水部材は、ベース部に連結される止水部で目地パッキンの下部を室内側から覆うことができる、即ち、ベース部から延びた止水部で目地パッキンの下部を覆うことができる。したがって、目地パッキンの下端とベース部との間に仮に隙間が形成されたとしても、該隙間は止水部によって室内側から覆われているので、第１の壁パネルと第２の壁パネルの間に装着される目地パッキンの下側からの水漏れを防止することが出来る。
【００２８】
請求項８に記載の発明は、請求項７に記載の止水部材において、前記止水部は、前記目地パッキン、前記第１の壁パネル、及び前記第２の壁パネルの室内側の面と、前記ベース部の上面とに面接触する。
【００２９】
次に、請求項８に記載の止水部材の作用を説明する。
請求項８に記載の止水部材では、止水部が目地パッキン、第１の壁パネル、及び第２の壁パネルの室内側の面と、ベース部の上面とに接しており、これによって目地パッキンの下側の隙間を塞ぐことが出来る。
【００３０】
請求項９に記載の発明は、請求項８に記載の止水部材において、前記止水部は、前記目地パッキン、前記第１の壁パネル、前記第２の壁パネル、及び前記ベース部に圧接する弾性体を備えていると共に、前記目地パッキンと係合する係合部を備えている。
【００３１】
次に、請求項９に記載の止水部材の作用を説明する。
請求項９に記載の止水部材では、止水部材に設けられた弾性体を目地パッキン、第１の壁パネル、第２の壁パネル、及びベース部に圧接することができるので、高い密着性を得ることが出来る。
また、係合部を目地パッキンに係合させることで、弾性体を目地パッキン、第１の壁パネル、第２の壁パネル、及びベース部に圧接させた状態を維持できる。
【００３２】
請求項１０に記載の発明は、請求項８に記載の止水部材において、前記止水部には、前記目地パッキン、前記第１の壁パネル、前記第２の壁パネル、前記ベース部と接する部位に両面テープが貼り付けられている。
【００３３】
次に、請求項１０に記載の止水部材の作用を説明する。
請求項１０に記載の止水部材では、止水部が両面テープで目地パッキン、第１の壁パネル、第２の壁パネル、ベース部に接合されるので、止水部と目地パッキンの間、止水部と第１の壁パネルの間、止水部と第２の壁パネル、止水部とベース部との間において、水の進入する隙間を完全に無くすことができる。
【００３４】
請求項１１に記載の発明は、請求項７〜請求項１０の何れか１項に記載の止水部材において、前記ベース部には、前記第１の壁パネルと前記第２の壁パネルとを前記目地パッキンが装着される隙間が形成されるように連結する中空の支柱の内面に接触することで前記止水部の位置決めを行う位置決め部が、設けられている。
【００３５】
次に、請求項１１に記載の止水部材の作用を説明する。
請求項１１に記載の止水部材では、ベース部に設けられた位置決め部を中空の支柱の内面に接触させることで、ベース部を支柱に対して位置決めすることができる。止水部は、ベース部に連結されているので、止水部は、ベース部の位置決め部が接触している支柱に対しても位置決めされることとなる。
【００３６】
なお、支柱は、第１の壁パネルと第２の壁パネルとを連結しているので、第１の壁パネル及び第２の壁パネルは支柱に対して位置決めされている。
さらに、第１の壁パネルと第２の壁パネルの隙間に目地パッキンが装着されているので、目地パッキンは両パネルに対して位置決めされている。
したがって、ベース部に連結された止水部は、目地パッキン、及び両壁パネルに対して相対的な位置が正確に決められることとなる。
【００３７】
これにより、止水部材で目地パッキンの下側の隙間を確実に塞ぐことが可能となる。なお、止水部材の目地パッキンに対する相対的な位置、及び止水部材の両壁パネルに対する相対的な位置が正確に決まらないと、例えば、止水部材と目地パッキンとの間や止水部材と両パネルとの間に隙間を生じる虞がある。
【００３８】
請求項１２に記載の発明は、請求項７〜請求項１１の何れか１項に記載の止水部材において、前記第１の壁パネルの端部と密着して止水を行う第１のインナーパッキンと、前記第２の壁パネルの端部と密着して止水を行う第２のインナーパッキンと、を有する。
【００３９】
次に、請求項１２に記載の止水部材の作用を説明する。
止水部材の第１のインナーパッキンを第１の壁パネルの端部と密着させることで、仮に、目地パッキンの下側の隙間から室内側へ水が漏れたとしても、止水部材と第１の壁パネルの端部との間から室外へ水が漏れることは無い。
【００４０】
また、止水部材の第２のインナーパッキンを第２の壁パネルの端部と密着させることで、仮に、目地パッキンの下側の隙間から室内側へ水が漏れたとしても、止水部材と第２の壁パネルの端部との間から室外へ水が漏れることは無い。
【発明の効果】
【００４１】
以上説明したように請求項１に記載のユニット式ルームによれば、室外への水漏れを確実に防止することができる。
【００４２】
請求項２に記載のユニット式ルームによれば、止水部が目地パッキン、第１の壁パネル、及び第２の壁パネルの各々の室内側の面、及びベース部の上面に面接触するので、高い止水効果が得られる。
【００４３】
請求項３に記載のユニット式ルームによれば、止水部材の弾性体を目地パッキン、第１の壁パネル、第２の壁パネル、及びベース部に圧接させ、止水部を係合部で目地パッキンに係合しているので、高い密着性により高い止水効果が得られる。
【００４４】
請求項４に記載のユニット式ルームによれば、止水部が両面テープで目地パッキン、第１の壁パネル、第２の壁パネル、及びベース部に接合されることで、止水部と目地パッキンの間、止水部と第１の壁パネルの間、止水部と第２の壁パネルとの間、及び止水部とベース部との間において、水の進入する隙間を完全に無くすことが出来、高い止水効果が得られる。
【００４５】
請求項５に記載のユニット式ルームによれば、ベース部に連結された止水部が目地パッキン、及び両壁パネルに対して相対的な位置が正確に決められるので、止水部材で目地パッキンの下側の隙間を確実に塞ぐことができる。
【００４６】
請求項６に記載のユニット式ルームによれば、仮に、目地パッキンの下側の隙間から室内側へ水が漏れたとしても、室外への水漏れを防止することができる。
【００４７】
請求項７に記載の止水部材によれば、ベース部を目地パッキンの下方の床部材の上に密着させて配置し、ベース部の室内側の端部から上方へ延びる止水部で目地パッキンの下端とベース部との間の隙間を室内側から塞ぐことができるので、第１の壁パネルと第２の壁パネルの間に挿入される目地パッキンの下側の隙間からの室外への水漏れを防止することが出来る。
【００４８】
請求項８に記載の止水部材によれば、止水部を第１の壁パネル、及び第２の壁パネルの各々の室内側の面と、ベース部の上面とに面接触させることができるので、高い止水効果が得られる。
【００４９】
請求項９に記載の止水部材によれば、止水部材の弾性体を目地パッキン、第１の壁パネル、第２の壁パネル、及びベース部に弾性的に接触させることができ、これにより密着性が向上し、高い止水効果が得られる。
【００５０】
請求項１０に記載の止水部材によれば、止水部を両面テープで目地パッキン、第１の壁パネル、第２の壁パネル、及びベース部に接合することができるので、止水部と目地パッキンの間、止水部と第１の壁パネルの間、止水部と第２の壁パネルとの間、及び止水部とベース部との間において、水の進入する隙間を完全に無くすことができ、高い止水効果が得られる。
【００５１】
請求項１１に記載の止水部材によれば、位置決め部を、第１の壁パネルと第２の壁パネルとを連結する支柱に接触させることで、支柱に対してベース部の位置を正確に決めることが出来、これにより、止水部材の止水部も目地パッキンに対して相対的な位置が正確に決められ、止水部材で目地パッキンの下側の隙間を確実に塞ぐことができる。
【００５２】
請求項１２に記載の止水部材によれば、止水部材の第１のインナーパッキンを第１の壁パネルの幅方向の端縁と密着させ、止水部材の第２のインナーパッキンを第２の壁パネルの幅方向の端縁と密着させることができるので、仮に、目地パッキンの下側の隙間から室内側へ水が漏れたとしても、室外への水漏れを防止することができる。
【図面の簡単な説明】
【００５３】
【図１】ユニットバスの分解斜視図である。
【図２】浴槽一体床パネルに配置された支柱及び止水部材の斜視図である。
【図３】（Ａ）はユニットバスの支柱部分の水平断面図であり、（Ｂ）は壁パネル接合部分の斜視図である。
【図４】壁パネルと浴槽一体床パネルとの接合部分の断面図である。
【図５】（Ａ）は止水部材の平面図であり、（Ｂ）は止水部材のベース部、及び止水部の断面図であり、（Ｃ）は止水部材の断面図であり、（Ｄ）は図５（Ａ）に示す止水部材を矢印Ａ方向に見た矢視図である。
【図６】コーナーの目地パッキンに固定された止水部の断面図である。
【図７】（Ａ）は止水部を固定する前の支柱部分の水平断面図であり、（Ｂ）は固定前の止水部の斜視図である。
【図８】第２の実施形態に係る止水部材の断面図である。
【図９】第３の実施形態に係る止水部材の断面図である。
【図１０】第４の実施形態に係る止水部材の断面図である。
【図１１】（Ａ）は第４の実施形態に係る止水部材の水平断面図であり、（Ｂ）図１１（Ａ）に示す止水部材を矢印Ｂ方向に見た矢視図である。
【図１２】第４の実施形態に係る止水部材の縦断面図である。
【発明を実施するための形態】
【００５４】
［第１の実施形態］
以下、図１乃至図８にしたがって、本発明が適用されたユニットバス１０の第１の実施形態を説明する。図１には、本実施形態のユニットバス１０の概略構成が分解斜視図にて示されている。
図１に示すように、本実施形態のユニットバス１０は、浴槽１２Ａと床１２Ｂとが一体となった浴槽一体床パネル１２を備えている。浴槽一体床パネル１２には、外周全体に上方へ延びるフランジ１２Ｃが一体的に形成されている。
【００５５】
浴槽一体床パネル１２の各コーナー部分には、それぞれ中空の支柱１４が固定されており、支柱１４の上部には天井パネル１６が固定されている。
浴槽一体床パネル１２の上には、支柱間に壁パネル１８，２０，２２，２４が垂直に配置されている。なお、壁パネル２４の側部にはドア２６が配置されている。図１では、壁パネル１８，２０，２２，２４が浴槽一体床パネル１２の外側に記載されているが、これら壁パネル１８，２０，２２，２４は、実際の施工時においては、室内側から支柱間に配置される。
【００５６】
天井パネル１６には、室外の面（上面）に、補強用の縦リブ１６Ａ及び横リブ１６Ｂが格子状に形成されていると共に、外周縁に沿って外周フランジ１６Ｃが形成されている。
【００５７】
一方、壁パネル１８には、室外の面に、補強用の縦リブ１８Ａ及び横リブ１８Ｂが格子状に形成されていると共に、外周縁に沿ってフランジ１８Ｃが形成されている。なお、壁パネル２０，２２，２４にも、壁パネル１８と同様の縦リブ、横リブ、及びフランジが形成されている。
これら浴槽一体床パネル１２、天井パネル１６、及び壁パネル１８，２０，２２，２４は、例えば、ＦＲＰ等で形成されている。
【００５８】
(支柱）
図２、及び図３（Ａ）に示すように、浴槽一体床パネル１２の各コーナー部分に配置される支柱１４は、互いに直角に連結される第１の壁部１４Ａ及び第２の壁部１４Ｂと、第１の壁部１４Ａの第２壁部側とは反対側の端部に連結され第２の壁部１４Ｂと平行な第３の壁部１４Ｃと、第３の壁部１４Ｃの第１の壁部１４Ａ側とは反対側の端部に第３の壁部１４Ｃに対して鋭角に連結される第１の爪部１４Ｄと、第２の壁部１４Ｂの第１壁部１４Ａ側とは反対側の端部に連結され第１の壁部１４Ａと平行な第４の壁部１４Ｅと、第４の壁部１４Ｅの第２の壁部１４Ｂ側とは反対側の端部に第４の壁部１４Ｅに対して鋭角に連結される第２の爪部１４Ｆと、を備え、長手方向端部側から見て一つの角部側が開放された略四角形状を呈している。
【００５９】
支柱１４は、第１の壁部１４Ａ及び第２の壁部１４Ｂが、浴槽一体床パネル１２の互いに直角に連結されるフランジ１２Ｃに、後述する止水部材３６第１の位置決め壁４０及び第２の位置決め壁４２と共にビス２８で固定されている。
【００６０】
図２に示すように、支柱１４の第３の壁部１４Ｃ、第１の爪部１４Ｄ、第４の壁部１４Ｅ、及び第２の爪部１４Ｆの下端側の一部分に切欠３０が形成されており、この切欠３０は、壁パネル１８の下側のフランジ１８Ｃと壁パネル２０の下側のフランジ２０Ｃの逃げとされている。
支柱１４に切欠３０を形成することで、壁パネル１８の下側のフランジ１８Ｃの端部と壁パネル２０の下側のフランジ２０Ｃの端部を、後述するインナーパッキン４４、及びインナーパッキン４６に圧接することが可能となっている（図２、図３参照）。
【００６１】
（壁パネルと支柱の接合）
図３（Ａ）に示すように、壁パネル２０の幅方向のフランジ２０Ｃは、室内側から支柱１４の第４の壁部１４Ｅの支柱内側に装着され、支柱１４の第４の壁部１４Ｅの端部が壁パネル２０の裏面に当接しており、支柱１４の第２の爪部１４Ｆはフランジ２０Ｃの内面に圧接して引っ掛けられている。
なお、支柱１４の第４の壁部１４Ｅの端部が壁パネル２０の裏面に当接した状態において、壁パネル２０の幅方向のフランジ２０Ｃの端部は後述する止水部材３６のインナーパッキン４６に圧接されている。
【００６２】
一方、壁パネル１８の幅方向のフランジ１８Ｃは、室内側から支柱１４の第３の壁部１４Ｃの支柱内側に装着され、支柱１４の第３の壁部１４Ｃの端部が壁パネル１８の裏面に当接しており、支柱１４の第１の爪部１４Ｄはフランジ１８Ｃの内面に引っ掛けられている。
なお、支柱１４の第３の壁部１４Ｃの端部が壁パネル１８の裏面に当接した状態において、壁パネル１８の幅方向のフランジ１８Ｃの端部は後述する止水部材３６のインナーパッキン４４に圧接されている。
壁パネル２０と壁パネル１８とは、このようにして支柱１４を介して互いに９０°に接合されている。
【００６３】
互いに直交する壁パネル１８と壁パネル２０との間には、隙間Ｓ１が形成されており、この隙間Ｓ１には、軟質の合成樹脂等の弾性体から形成されたコーナー用の目地パッキン３２が室内側から圧入されている。
【００６４】
目地パッキン３２は、室外側に配置され、幅方向の端部分が壁パネル１８と壁パネル２０の表面（室内側の面）に密着する断面形状が略円弧形状とされたシール本体部３２Ａと、シール本体部３２Ａの裏側に一体的に設けられ、隙間Ｓ１を介して支柱側に挿入される一対の圧入部３２Ｂとを有して構成されている。なお、一対の圧入部３２Ｂは、壁パネル１８のフランジ１８Ｃ、及び壁パネル２０のフランジ２０Ｃに圧接されている。
【００６５】
（壁パネルの下部の接合）
支柱間では、図３（Ｂ）、及び図４に示すように、壁パネル１８の下側のフランジ１８Ｃと浴槽一体床パネル１２の上面との間に、弾性体からなるテープ状のパッキン３４が挟まれている。なお、図示は省略するが、その他の壁パネル２０，２２，２４の下側のフランジと浴槽一体床パネル１２の上面との間にも弾性体からなるテープ状のパッキン３４が挟まれている。
【００６６】
パッキン３４は、例えば、水を透過しない無数の独立気泡を有するゴムスポンジ等の弾性体で形成されている。
パッキン３４の幅方向端部は、壁パネル１８の表面（室内側の面）よりも室内側には突出していない。パッキン３４は、壁パネル１８の下側のフランジ１８Ｃ、及び浴槽一体床パネル１２の上面の少なくとも一方に、ずれない様に両面テープ（図示せず）を用いて貼り付けられている。
【００６７】
図４に示すように、壁パネル１８と浴槽一体床パネル１２とでなす隅部分には、パッキン３４の端部を隠すようにシリコン等のコーキング３５が施されている。なお、その他の壁パネル２０，２２，２４と浴槽一体床パネル１２とでなす隅部分にもパッキン３４の端部を隠すようにコーキング３５が施されている。なお、図３（Ｂ）においては、コーキング３５は図示が省略されている。
図２に示すように、パッキン３４の長手方向端部は、支柱１４の外側面、及び後述する止水部材３６のベース部３８の側端部分に密着している。
【００６８】
（止水部材）
図２、及び図３に示すように、支柱１４の内部には止水部材３６が配置されている。
図２、図３、及び図５に示すように、止水部材３６は、支柱１４の内部に配置される全体的に略四角形のベース部３８を備えている。なお、床１２Ｂとベース部３８との間には、密着して隙間が生じないようにコーキング材又は接着剤等が施されている。
【００６９】
ベース部３８には、支柱１４の第１の壁部１４Ａに接するように立設される第１の位置決め壁４０、及び支柱１４の第２の壁部１４Ｂに接するように立設される第２の位置決め壁４２が一体的に形成されている。なお、第１の位置決め壁４０と第２の位置決め壁４２も一体的に連結されている。
【００７０】
第１の位置決め壁４０の内面には、第２の位置決め壁４２側とは反対側の端部側に、前述した止水部５０等を構成している合成樹脂よりも軟質の合成樹脂、ゴム等の弾性体からなる断面矩形のインナーパッキン４４が固着されている。インナーパッキン４４は、第１の位置決め壁４０側の面が第１の位置決め壁４０に接着され、下端がベース部３８に接着されている。
【００７１】
第２の位置決め壁４２の内面には、第１の位置決め壁４０側とは反対側の端部側に弾性体からなる断面矩形のインナーパッキン４６が固着されている。インナーパッキン４６は、第２の位置決め壁４２側の面が第２の位置決め壁４２に接着され、下端がベース部３８に接着されている。
なお、本実施形態のインナーパッキン４４、及びインナーパッキン４６の厚みは、例えば８ｍｍ程度であるが、これらの厚みは適宜変更可能である。
本実施形態では、インナーパッキン４４、及びインナーパッキン４６を第１の位置決め壁４０、及び第２の位置決め壁４２に接着しているが、２色成形によってインナーパッキン４４、及びインナーパッキン４６を第１の位置決め壁４０、及び第２の位置決め壁４２に一体成形しても良い。
【００７２】
図３（Ａ）に示すように、第１の位置決め壁４０、及び第２の位置決め壁４２は、各々支柱１４、及び浴槽一体床パネル１２のフランジ１２Ｃにビス２８によって固定されており、第１の位置決め壁４０、及び第２の位置決め壁４２は支柱１４の内面に密着して支柱１４に対してベース部３８の位置決めを行っている。なおビス２８は、タッピンネジ、ドリルビス等を用いることが出来る。
なお、支柱１４の第３の壁部１４Ｃの端部が壁パネル１８の裏面に当接した状態において、壁パネル１８の幅方向のフランジ１８Ｃの端部は止水部材３６のインナーパッキン４４に圧接されている。一方、支柱１４の第４の壁部１４Ｅの端部が壁パネル２０の裏面に当接した状態において、壁パネル２０の幅方向のフランジ２０Ｃの端部は止水部材３６のインナーパッキン４６に圧接されている。
【００７３】
図５に示すように、ベース部３８には、第１の位置決め壁４０と第２の位置決め壁４２との連結部分の対角方向側にインテグラルヒンジ４８を介して矩形の板状とされた止水部５０が形成されている。このインテグラルヒンジ４８は、断面略Ｖ字形状の溝を形成することで構成されている。
【００７４】
止水部５０には、目地パッキン３２のシール本体部３２Ａと対向する側にロックピン５２が一体的に形成されている。
ロックピン５２は、断面円形の軸部５２Ａを備え、軸部５２Ａの先端には軸部５２Ａよりも径が大きい円錐形状の頭部５２Ｂが形成されている。
【００７５】
なお、ベース部３８、第１の位置決め壁４０、第２の位置決め壁４２、インテグラルヒンジ４８、止水部５０、及びロックピン５２は、例えば、ＰＰ、ＡＢＳ、ＰＳ、軟質塩ビ等の合成樹脂で一体成形されており、図５に示す組立て前の状態では、ベース部３８と止水部５０とは同一平面上に形成されている。
また、本実施形態のベース部３８、第１の位置決め壁４０、第２の位置決め壁４２、及び止水部５０の厚みは、例えば２ｍｍ程度であるが、各々の厚さは適宜変更可能である。
【００７６】
図３、及び図５に示すように、止水部５０には、シール本体部３２Ａと対向する側に、シール弾性体５４が接着剤で固着されている。シール弾性体５４は、前述した止水部５０等を構成している合成樹脂よりも軟質の合成樹脂、ゴム等の弾性体から形成されている。
なお、本実施形態では、シール弾性体５４を止水部５０に接着剤で固着したが、２色成形によってシール弾性体５４を止水部５０と一体成形しても良い。
【００７７】
図３（Ｂ）に示すように、シール弾性体５４は、目地パッキン３２のシール本体部３２Ａの表面及び壁パネル表面の一部分に面接触して密着し易い様に水平断面形状が略円弧形状に形成されている。
【００７８】
ロックピン５２は、頭部５２Ｂ、及び軸部５２Ａの一部がシール弾性体５４から突出している。図６に示すように、ロックピン５２の頭部５２Ｂをシール本体部３２Ａの孔（軸部５２Ａと同径。頭部５２Ｂよりも小径。）３３を貫通させてシール本体部３２Ａの裏面側に頭部５２Ｂを突出させることで、止水部５０はベース部３８に対して９０度の角度で固定されている。孔３３は、工場等で予め目地パッキン３２に加工しておいても良く、施工現場で加工しても良い。
【００７９】
（ユニット式ルームの組立手順、及び作用、効果）
（１）  先ず最初に、図２、及び図７（Ａ）に示すように、止水部材３６を下端内部に装着した支柱１４を浴槽一体床パネル１２の四隅に立て、第１の位置決め壁４０、及び第２の位置決め壁４２を支柱１４と共に浴槽一体床パネル１２のフランジ１２Ｃにビス２８で固定する。なお、このときの止水部材３６の止水部５０は、浴槽一体床パネル１２の上に寝ている状態であり、ベース部３８に対して平行である。
また、止水部材３６のベース部３８と床１２Ｂとの間に水漏れの原因となる隙間が生じないようにコーキング材又は接着剤等をベース部３８と床１２Ｂとの間に施す。なお、止水部材３６のベース部３８と床１２Ｂとの間に、薄いパッキンを挟んでも良い。
【００８０】
（２）  ４本の支柱１４の上に天井パネル１６を載せ、支柱１４と天井パネル１６とを従来通り図示しないビス、金具等を用いて固定する(図１参照。）。
【００８１】
（３）  図２に示すように、浴槽一体床パネル１２の上面の支柱間にパッキン３４を貼り付ける。なお、パッキン３４の長手方向端部は、支柱１４の外側面、及び後述する止水部材３６のベース部３８の側端部分に密着させる。
【００８２】
（４）  支柱間に壁パネル１８，２０，２２，２４を室内側から組み付ける。例えば、図７（Ａ）に示すように、支柱１４の第４の壁部１４Ｅの端部が壁パネル１８の裏面に当接するように壁パネル１８を組み付けることで、壁パネル１８の幅方向のフランジ１８Ｃの端部は止水部材３６のインナーパッキン４４に圧接され、他の壁パネル２０，２２，２４の幅方向のフランジも同様にして止水部材３６のインナーパッキンに圧接される。
【００８３】
なお、壁パネル１８の下側のフランジ１８Ｃは、浴槽一体床パネル１２の上面に貼り付けられたパッキン３４に圧接され、他の壁パネル２０，２２，２４の下側のフランジも同様にして浴槽一体床パネル１２の上面に貼り付けられたパッキン３４に圧接される。
【００８４】
（４）  図７（Ａ）に示すように、壁パネル１８と壁パネル２０との間の隙間Ｓ１に室内側から目地パッキン３２を装着し、シール本体部３２Ａの幅方向両端部を壁面に密着させる。なお、他の壁パネルと壁パネルとの間の隙間Ｓ１にも同様にして室内側から目地パッキン３２を装着する。
【００８５】
（５）  止水部材３６の止水部５０をベース部３８（床１２Ｂ）に対して９０°となるように起こし、ロックピン５２を目地パッキン３２の孔３３に挿入し、止水部５０を目地パッキン３２に固定する。この止水部５０とベース部３８とは、インテグラルヒンジ４８を介して連結されているので、止水部５０を容易に起こすことが出来る。なお、本実施形態では、ロックピン５２の先端に頭部５２Ｂが形成されているが、軸部５２Ａが目地パッキン３２の孔３３に圧入されて止水部５０を固定できれば頭部５２Ｂは省略することも出来る。
【００８６】
ここで、目地パッキン３２の施工時の切断寸法や、施工後の経年変化等により、目地パッキン３２の下端と止水部材３６のベース部３８との間に、例えば、図６に示すような隙間Ｓ２が形成される場合が考えられるが、止水部５０を目地パッキン３２に固定することで、止水部５０のシール弾性体５４が隙間Ｓ２の室内側に位置している目地パッキン３２のシール本体部３２Ａの表面、目地パッキン３２の両側の壁パネル表面、及びベース部３８の上表面、即ち、隙間Ｓ２の室内側開口部分を取り囲むように隙間Ｓ２の室内側開口部分の周囲の部材に面接触して密着するので、該隙間Ｓ２は室内側から完全に塞がれ、目地パッキン３２の下側の隙間Ｓ２を介して室外側へ水が漏れ出ることが防止される。
なお、目地パッキン３２が単にベース部３８の上表面に接触している程度（実質的に隙間Ｓ２が零）では、目地パッキン３２とベース部３８との間はシールされているとは言えず、完全な止水は出来ないため、上述した様にシール弾性体５４を隙間Ｓ２の室内側開口部分の周囲の部材に面接触して密着させる必要がある。
【００８７】
このように、本実施形態のユニットバス１０では、止水部５０をベース部３８（床１２Ｂ）に対して９０°となるように起こして、ロックピン５２を目地パッキン３２の孔３３に挿入することで、目地パッキン３２の下側の隙間Ｓ２を簡単に塞ぐことができ、従来の様にコーキング材で塞ぐ場合に比較して、簡単かつ確実に止水が行える。
なお、万が一、目地パッキン３２の下側の隙間Ｓ２を介して室外側に水が漏れた場合、支柱１４の内側に水が浸入することになるが、各壁パネルの各フランジが止水部材３６のインナーパッキン４４，４６に圧接されて止水を行っているので、支柱１４の内側に侵入した水が壁パネルのフランジの端部を介して室外側へ漏れることは無い。
また、  浴槽一体床パネル１２のフランジ１２Ｃ、及び支柱１４にビス２８で固定されている止水部材３６に設けられたロックピン５２が目地パッキン３２の孔３３に挿入されているので、目地パッキン３２の下部は固定され、経年変化によって目地パッキン３２の下端の位置が変化する、即ち、隙間Ｓ２の寸法が変化することも無い。
【００８８】
本実施形態では、壁パネル１８と浴槽一体床パネル１２とでなす隅部分にシリコン等のコーキング３５を施し、止水部材３６の止水部５０と浴槽一体床パネル１２との隅部にコーキング３５を施していないが、壁パネル１８と浴槽一体床パネル１２とでなす隅部分に施したコーキング３５と一体感を持たせるために、壁パネル１８と浴槽一体床パネル１２とでなす隅部分に施したコーキング３５と連続するように止水部５０と浴槽一体床パネル１２との隅部にコーキング３５を施しても良い。
【００８９】
［第２の実施形態］
次に、本発明の第２の実施形態に係るユニットバス１０を説明する。なお、第１の実施形態と同一構成には同一符号を付し、その説明は省略する。
【００９０】
第１の実施形態では、図５に示すように、止水部５０に、止水部５０とは異なる合成樹脂からなるシール弾性体５４を固着していたが、止水部材３６全体がある程度の弾性を有した合成樹脂で形成され、目地パッキン３２、目地パッキン３２の両側の壁パネル表面、及びベース部３８に密着すれば、第１の実施形態の止水部５０とシール弾性体５４とを一体化した図８に示すような形状の止水部５０としても良い。
【００９１】
［第３の実施形態］
次に、本発明の第３の実施形態に係るユニットバス１０を説明する。なお、第２の実施形態と同一構成には同一符号を付し、その説明は省略する。
【００９２】
第１の実施形態では、止水部５０を固定するために、ロックピン５２をシール本体部３２Ａの孔３３に挿入したが、図９に示すように、本実施形態では、止水部５０を両面テープ５６で目地パッキン３２、目地パッキン３２の両側の壁パネル表面、及びベース部３８に接合している。これにより、止水部５０と目地パッキン３２、目地パッキン３２の両側の壁パネル表面、及びベース部３８との間から隙間を完全に無くすことが可能となり、高い防水効果が得られる。なお、両面テープ５６は、粘着性を有するものであっても良く、接着性を有するものであっても良い。
【００９３】
［第４の実施形態］
図１０〜図１２に示す第４の実施形態に係る止水部材５８は、互いに同一平面的に連結される壁パネル６０と壁パネル６２との間に挿入される目地パッキン６４の下側の隙間Ｓ３を室内側から塞ぐものである。なお、前述した実施形態と同一構成には同一符号を付し、その説明は省略する。
【００９４】
図１０、及び図１１に示すように、本実施形態のユニットバス１０では、浴槽一体床パネル１２の上に、壁パネル６０と壁パネル６２とが支柱６６を介して同一平面的に連結されている。
【００９５】
支柱６６は、浴槽一体床パネル１２のフランジ１２Ｃと平行に配置される後壁６６Ａ、後壁６６Ａの両端から室内側へ延びる側壁６６Ｂ、側壁６６Ｂの室内側の端部に側壁６６Ｂに対して鋭角に形成される爪部６６Ｃを備え、断面形状が略コ字形状を呈している。
【００９６】
図１１に示すように、目地パッキン６４は、支柱６６の室外側に配置されて、幅方向の端部分が壁パネル６０と壁パネル６２の表面（室内側の面）に密着するシール本体部６４Ａと、シール本体部６４Ａの裏側に一体的に設けられて壁パネル６０と壁パネル６２の隙間に室内側から支柱６６に向けて挿入される一対の圧入部６４Ｂとを有して構成されている。
【００９７】
図１０〜図１２に示すように、止水部材５８は、ベース部６８、インテグラルヒンジ７０を介してベース部６８の室内側に連結される止水部７２、ベース部６８の室内側とは反対側の端部に立設される位置決め壁７１を備えており、ベース部６８及び位置決め壁７１が支柱６６の内部に配置されている。これらベース部６８、インテグラルヒンジ７０、止水部７２、及び位置決め壁７１は、合成樹脂で一体成形されている。
【００９８】
位置決め壁７１は、支柱６６の後壁６８Ａ及び側壁６８Ｂの内面に密着して支柱６６に対して止水部材５８の位置決めを行っている。
なお、止水部材５８の位置決め壁７１は、支柱６６の後壁６８Ａと共にビス２８で浴槽一体床パネル１２のフランジ１２Ｃに固定されている。
【００９９】
位置決め壁７１の内面には、上下方向に延びるパッキン７４が一対貼り付けられている。壁パネル６０のフランジ６０Ｃの端部は一方のパッキン７４に圧接され、壁パネル６２のフランジ６２Ｃの端部は他方のパッキン７４に圧接されている。
【０１００】
止水部材５８には、壁パネル６０、壁パネル６２、目地パッキン６４のシール本体部６４Ａ、及びベース部６８に面接触して密着するシール弾性体７５が固着されている。このシール弾性体７５は、前述した止水部７２等を構成している合成樹脂よりも軟質の合成樹脂等の弾性体から形成されている。
【０１０１】
本実施形態の止水部７２にはロックピン７６が形成されており、このロックピン７６を目地パッキン６４に形成した穴７８に圧入することで止水部７２が目地パッキン６４に固定されている。なお、止水部材５８をロックピン７６及び穴７８を設けず、シール弾性体７５を両面テープで壁パネル６０、壁パネル６２、目地パッキン６４のシール本体部６４Ａ、及びベース部６８に固定しても良い。
【０１０２】
図１１、及び図１２に示すように、本実施形態では、止水部７２が目地パッキン６４の下側の隙間Ｓ３を室内側から塞いでおり、これによって隙間Ｓ３を介して室外側へ水が漏れることは無い。
なお、万が一、隙間Ｓ３を介して室内の水が漏れた場合でも、壁パネル６０のフランジ６０Ｃの端部が一方のパッキン７４に圧接され、壁パネル６２のフランジ６２Ｃの端部が他方のパッキン７４に圧接されているので、支柱内から室外へ水が漏れ出ることは無い。
【０１０３】
［その他の実施形態］
上記実施形態では、本発明をユニットバスに適用した例を説明したが、本発明はユニットバス等の浴室に限らず、浴槽の無いシャワールーム、トイレ等、浴室以外にも適用可能である。
また、本発明は、上記に限定されるものでなく、上記以外にも、その主旨を逸脱しない範囲内において種々変形して実施可能であることは勿論である。
【符号の説明】
【０１０４】
１０      ユニットバス（ユニット式ルーム）
１２      浴槽一体床パネル（床部材）
１４      支柱
１８      壁パネル（第１の壁パネル）
２０      壁パネル（第２の壁パネル）
３２      目地パッキン
３６      止水部材
３８      ベース部
４０      第１の位置決め壁（第１の位置決め部）
４２      第２の位置決め壁（第２の位置決め部）
４４      インナーパッキン（第１のインナーパッキン）
４６      インナーパッキン（第２のインナーパッキン）
５０      止水部
５２      ロックピン（係合部）  
５４      シール弾性体（弾性体）
５６      両面テープ
５８      止水部材
６０      壁パネル（第１の壁パネル）
６２      壁パネル（第２の壁パネル）
６４      目地パッキン
６６      支柱
６８      ベース部
７２      止水部
７４      インナーパッキン（第１，２のインナーパッキン）
７５      シール弾性体（弾性体）
７６      ロックピン（係合部）
【図１】
2012211433.tif 000003
【図２】
2012211433.tif 000004
【図３】
2012211433.tif 000005
【図４】
2012211433.tif 000006
【図５】
2012211433.tif 000007
【図６】
2012211433.tif 000008
【図７】
2012211433.tif 000009
【図８】
2012211433.tif 000010
【図９】
2012211433.tif 000011
【図１０】
2012211433.tif 000012
【図１１】
2012211433.tif 000013
【図１２】
2012211433.tif 000014